(57)【要約】【課題】少ない数の光源で均一な光度の発光面を構成する導光体を備えた灯具を提供する。【解決手段】光入射面３３を有する導光体３を備える灯具であり、光入射面３３に沿って延設された第１ライトロッド６１と、第１ライトロッド６１に光を入射させる光源６０と、第１ライトロッド６１と光入射面３３との間に延設されたレンズロッド６２とを備える。第１ライトロッド６１は入射された光を延設方向に導光するとともに、導光された光を延設方向に沿ってライン状にレンズロッド６２に入射させ、レンズロッド６２は入射された光を集光して延設方向に沿ってライン状に光入射面３３に入射させる。【選択図】  図７
2018006225.tif 000002
【特許請求の範囲】
【請求項１】
縁面が光入射面として構成された板状の導光体を備える灯具であって、前記光入射面に沿って延設された第１ライトロッドと、前記第１ライトロッドに光を入射させる光源とを備え、前記第１ライトロッドは入射された光を延設方向に導光するとともに、導光された光を延設方向に沿ってライン状に前記導光体の光入射面に入射させる構成であることを特徴とする灯具。
【請求項２】
縁面が光入射面として構成された板状の導光体を備える灯具であって、前記光入射面に沿って延設された第１ライトロッドと、前記第１ライトロッドに光を入射させる光源と、前記第１ライトロッドと前記光入射面との間に延設されたレンズロッドとを備え、前記第１ライトロッドは入射された光を延設方向に導光するとともに、導光された光を延設方向に沿ってライン状に前記レンズロッドに入射させ、前記レンズロッドは入射された光を集光して延設方向に沿ってライン状に前記光入射面に入射させる構成であることを特徴とする灯具。
【請求項３】
前記導光体の灯具後側に向けられた外面に対向配置されたリフレクタを備え、前記導光体は、灯具後方へ突出する湾曲の形状を有し、前記外面と、灯具前側に向けられた内面のそれぞれに、当該導光体の各反対側の面から光を出射させる光反射素子が設けられている請求項１又は２に記載の灯具。
【請求項４】
前記導光体を導光された光が入射される第２ライトロッドが延設されており、前記第２ライトロッドは入射された光を延設方向に沿ってライン状に出射する請求項１ないし３のいずれかに記載の灯具。
【請求項５】
前記第１ライトロッドを隠蔽する第１フリンジ部と、前記第２ライトロッドを隠蔽する第２フリンジ部を備える請求項４に記載の灯具。
【発明の詳細な説明】
【技術分野】
【０００１】
本発明は光源から出射した光を導光板に導光して発光面を構成する灯具に関し、特に少ない数の光源で均一な光度の発光面を構成する灯具に関するものである。
【背景技術】
【０００２】
自動車等の車両に装備される灯具の一つであるヘッドランプ（前照灯）では、光源から出射した光を導光体に入射し、導光体の内部を導光させながら導光体の表面、すなわち光出射面から出射させて発光面を構成したものがある。例えば、特許文献１は自動車のヘッドランプのランプハウジング内に板状の導光体を配設し、この導光体の周端面に沿って複数の光源を配設した構成が提案されている。このヘッドランプでは、光源から出射された光は導光体の周端面から内部に導光され、導光された光はランプ前方に向けられた導光体の前面から出射される。これにより、導光体の前面のほぼ全域が発光面として構成されたヘッドランプが構成される。
【０００３】
この導光体を備える灯具では、リフレクタ型ランプやプロジェクタ型ランプ等と組合せた多機能型の灯具を構成することが提案されている。特許文献２には、ランプハウジング内にプロジェクタ型ランプを主ランプとして配設するとともに、この主ランプの両側方から後方にわたる領域に導光体を延設した構成の灯具が提案されている。この灯具では、導光体を標識灯ユニットとして機能させ、主ランプを照明灯ユニットとして構成することで、灯具の多機能化を図るとともに、これらによる点灯時の外観上の見栄えの変化に基づく美的効果を向上することが可能である。
【先行技術文献】
【特許文献】
【０００４】
【特許文献１】特開２０１０−５０００９号公報
【特許文献２】特開２０１４−７５２２８号公報
【発明の概要】
【発明が解決しようとする課題】
【０００５】
このような導光体と主ランプを備える灯具においては、導光体の発光面をできるだけ大きな面積、例えばランプハウジングの透光性カバーのほぼ全域にわたって構成し、しかも発光面を均一な光度で発光させることが要求されることがある。特許文献１は、このような発光面の拡大かつ均一光度の要求を満たすために、導光体の周端面に沿って複数の複数の光源を配設している。また、各光源から出射される光の光度の均一化を図るために、各光源にはそれぞれ集光用のレンズを配設し、光源の光を平行光束にして導光体に入射させている。
【０００６】
このように、導光体の周端面に沿って複数の光源と集光用のレンズを配設すると、灯具を構成する部品点数が増大するとともに、配設する各光源とレンズの組み付け、およびその位置調整等の作業が煩雑なものとなる。さらに、このような構成では、導光体の周端面には、光源が配設されて光が入射される部位と、光源が配設されておらず光が入射されない部位とが生じることになり、導光体の周端面に沿って入射光量のばらつきが生じ、このことが均一な発光面を構成する際の障害になっている。
【０００７】
本発明の目的は、少ない数の光源で均一な光度の発光面を構成する導光体を備えた灯具を提供するものである。
【課題を解決するための手段】
【０００８】
本発明の第１の発明は、縁面が光入射面として構成された板状の導光体を備える灯具であって、光入射面に沿って延設された第１ライトロッドと、第１ライトロッドに光を入射させる光源とを備えており、第１ライトロッドは入射された光を延設方向に導光するとともに、導光された光を延設方向に沿ってライン状に導光体の光入射面に入射させる構成である。
【０００９】
本発明の第２の発明は、縁面が光入射面として構成された板状の導光体を備える灯具であって、光入射面に沿って延設された第１ライトロッドと、第１ライトロッドに光を入射させる光源と、第１ライトロッドと光入射面との間に延設されたレンズロッドとを備えており、第１ライトロッドは入射された光を延設方向に導光するとともに、導光された光を延設方向に沿ってライン状にレンズロッドに入射させ、レンズロッドは入射された光を集光して延設方向に沿ってライン状に光入射面に入射させる構成である。
【００１０】
本発明においては、導光体の灯具後側に向けられた外面に対向配置されたリフレクタを備え、導光体は、灯具後方へ突出する湾曲の形状を有し、その外面と、灯具前側に向けられた内面のそれぞれに、当該導光体の各反対側の面から光を出射させる光反射素子が設けられる。
【００１１】
本発明においては、導光体を導光された光が入射される第２ライトロッドが延設されており、第２ライトロッドは入射された光を延設方向に沿ってライン状に出射する構成とすることが好ましい。また、第１ライトロッドを隠蔽する第１フリンジ部と、第２ライトロッドを隠蔽する第２フリンジ部を備えることが好ましい。
【発明の効果】
【００１２】
第１の発明によれば、光源の光を第１ライトロッドにより長さ方向に導光し、この第１ライトロッドから長さ方向に沿ったライン状に出射させて導光体の光入射面に入射させるので、導光体の発光面積を大きく設計した場合でも、少ない数の光源により導光体の全領域における均一な光量での発光が可能になる。
【００１３】
第２の発明によれば、第１ライトロッドから出射された光をレンズロッドにより長さ方向にライン状に導光体の光入射面に入射させ、かつレンズロッドにより光入射面の直近位置に集光させるので、光入射面における光入射効率を高め、少ない数の光源により導光体の全領域における均一かつ高い光量での発光が可能になる。
【図面の簡単な説明】
【００１４】
【図１】本発明を自動車の左側の複合型ヘッドランプに適用した実施形態の正面図。
【図２】実施形態のヘッドランプの外観斜視図。
【図３】図１のIII-III線断面図。
【図４】図１のIV-IV線断面図。
【図５】ＣＬユニットの概略部分分解図。
【図６】上ライトロッドとレンズロッドを説明する斜視図。
【図７】ＣＬユニットの上ライトロッドから導光体に至る導光状態を説明する拡大図。
【図８】ＣＬユニットの下ライトロッドでの導光状態を説明する拡大図。
【発明を実施するための形態】
【００１５】
次に、本発明の実施の形態について図面を参照して説明する。図１は本発明を自動車ＣＡＲの車体の左前部に装備される複合型のヘッドランプ（コンビネーションヘッドランプ）ＣＨＬに適用した実施形態の正面図、図２はその外観斜視図である。このヘッドランプＣＨＬは、ランプボディ１１と、このランプボディ１１の開口部に取着された透光カバー１２とでランプハウジング１が構成されている。このランプハウジング１内には、標識灯としてのクリアランスランプユニット（以下、ＣＬユニット）ＣＬ−Ｕと、照明灯としてのヘッドランプユニット（以下、ＨＬユニット）ＨＬ−Ｕが内装されている。
【００１６】
図２において、前記ランプハウジング１は、上面部１ｕと下面部１ｄはそれぞれほぼ平坦面に形成されているが、後面部１ｒから車幅方向内側の内側面部１ｉの領域は緩やかに連続する曲面に構成されている。これら上面部１ｕ，下面部１ｄ，後面部１ｒ，内側面部１ｉは前記ランプボディ１１により構成されている。また、前方に向けられた前面部１ｆないし車幅方向外側の外側面部１ｏは前記透光カバー１２により構成されている。
【００１７】
図３と図４はそれぞれ図１のIII-III線断面図とIV-IV線断面図であり、図５は前記ＣＬユニットＣＬ−Ｕの概略構成を示す部分分解斜視図である。図３ないし図５において、前記ランプハウジング１の上面部１ｕの前端部、すなわち前記ランプボディ１１の開口部の上縁に沿った部位には、所要長さの樋状をした上フリンジ部４が延設されており、前記ランプボディ１１に取り付けられている。この上フリンジ部４と前記ランプボディ１１の上縁部との間に、前記ランプハウジング１の上端部に沿って上パイプ室４１が構成されている。この上パイプ室４１の下面には、上フリンジ部４の延設方向に沿ってスリット４２が開口されている。
【００１８】
前記ランプハウジング１内の前記外側面部１ｏを除く領域、すなわち後面部１ｒから内側面部１ｉ、さらに下面部１ｄにわたる領域には、下方ないし後方に凸状の曲面に形成されたリフレクタ２が配設されている。このリフレクタ２は、例えば樹脂成形された曲板状部材の表面にアルミニウムを蒸着する等して鏡面処理した構成であり、その光反射面２１を前方に向けた状態で前記ランプボディ１１の内面に固定されている。
【００１９】
前記ランプハウジング１内の上面部１ｕを除く内側面部１ｉから後面部１ｒないし外側面部１ｏ、さらに下面部１ｄにわたる領域には、ＣＬユニットＣＬ−Ｕの発光面を構成するための導光体３が配設され、前記ランプボディ１１に支持されている。この導光体３は前記リフレクタ２の光反射面２１に沿うように曲設された曲板状、換言すれば灯具後方へ突出する湾曲の形状に形成されており、後面部３ｒと、車幅方向内側の側面部である内側面部３ｉと、車幅方向外側の側面部である外側面部３ｏと、下面部３ｄとにより構成されている。
【００２０】
前記導光体３の各面部は角部が生じないように連続した曲面に形成されている。特に、内側面部３ｉと後面部３ｒと外側面部３ｏは、後述するようにランプハウジング１内のほぼ中央に配設されている前記ＨＬユニットＨＬ−Ｕの両側から後側の領域を囲むような円弧状をした周壁として形成されている。
【００２１】
前記導光体３の各面部の内面３１は、前記透光カバー１２を透して外部から観察されるようになっている。また、前記ランプハウジング１の外側面部１ｏには、前記ランプボディ１１と前記リフレクタ２は存在していないため、前記導光体３の外側面部３ｏはその外面３２も透光カバー１２を透して外部から観察可能とされている。ここで、導光体３の内面３１はランプハウジング１の内側に向けられた面であり、外面３２はランプハウジング１の外側に向けられた面である。
【００２２】
前記導光体３の後面部３ｒ、内側面部３ｉ、および外側面部３ｏには、それぞれの内面３１と外面３２に複数の光反射素子としての線刻３５が形成されている。ここでは、内面３１と外面３２にそれぞれ上下方向に所要の間隔をおいて水平方向に延長された線刻３５が形成されている。また、内面３１と外面３２の各線刻３５は互いに上下方向の位置がずれている。いずれの線刻３５も導光体３の内部を導光される光を反対側の面に向けて反射し、当該反対側の面から出射させる構成であり、ここでは、断面形状が内部に向けてＶ字状に凹設された凹溝からなる線刻３５として構成されている。
【００２３】
前記導光体３の一縁面、すなわち導光体３の内側面部３ｉから後面部３ｒを経て外側面部３ｏにわたって連続形成されている上方に向けられた側の縁面３３（厚み方向の面、以下同じ）は、前記上フリンジ部４に沿って延設されている。この導光体３の一縁面３３は上方に向けられて光入射面として構成されており、前記スリット４２を上方に臨む位置に配設されている。
【００２４】
前記導光体３の他縁面３４、すなわち前記光入射面３３として構成されている前記した一縁面と反対側の縁面、さらに言えば内側面部３ｉと下面部３ｄと外側面部３ｄにわたって延長されてランプハウジング１の前方に向けられている他縁面３４は、その延長方向の両端がそれぞれ前記上フリンジ部４に近接する位置まで延長され、かつその延長方向に沿った中央領域は下方に向けて凸状をした曲線状に形成されている。
【００２５】
前記導光体３の前記他縁面３４には、後面に凹溝５１を有する帯状の下フリンジ部５が対向した状態で延設されている。この凹溝５１は下ロッド室として構成され、またこの下フリンジ部５の前面はシボ加工により粗面、すなわち光拡散面５２として形成されている。
【００２６】
図６に外観斜視図を示すように、前記上フリンジ部４に構成されている前記上ロッド室４１には、第１光源部６の一部を構成する上ライトロッド６１とレンズロッド６２が内装されている。この上ライトロッド６１は本発明の第１のライトロッドとして構成される。これら上ライトロッド６１とレンズロッド６２は前記スリット４２に臨む位置において、前記上ライトロッド６１が上側に、前記レンズロッド６２がその直下となるように上下に配置されており、いずれも前記導光体３の光入射面３３の長さに対応する長さで、前記上ロッド室４１の長さ方向に延設されている。これら上ライトロッド６１とレンズロッド６２は、透明なアクリル、ポリカーボネート等の樹脂で構成され、所要の断面形状をした中実棒状に形成されたものである。
【００２７】
前記上ロッド室４１の内部には、前記第１光源部６の光源を構成する第１発光素子６０が配設されている。ここでは、前記上ロッド室４１の両端部、すなわち前記上ライトロッド６１の長さ方向両側の端面に対向する位置にそれぞれ対をなして第１ＬＥＤ６０が配設されている。これらの第１ＬＥＤ６０は、詳細な図示は省略するが、ヒートシンクを備える回路基板等に搭載された状態で配設されており、発光されたときに出射される光が前記上ライトロッド６１の各端面に投射され、当該各端面からそれぞれ各上ライトロッド６１内に入射されるようになっている。
【００２８】
前記上ライトロッド６１は、ここでは長さ方向に直交する断面が円形をした透光ロッドで構成される。あるいは断面が多角形状をした透光ロッドで構成されてもよい。この上ライトロッド６１は長さ方向の複数箇所に一体形成された支持片６３によって前記ランプボディ１１に支持されている。レンズロッド６２も同様であるが、ここでは支持片の構成は図示を省略している。
【００２９】
前記上ライトロッド６１は上側に向けられている上周面に長さ方向にわたって光反射ステップ６１ａが形成されており、上ライトロッド６１の長さ方向の端部から入射された光を長さ方向に導光するとともに、この導光される光の一部を前記光反射ステップ６１ａにおいて反射させ、当該上ライトロッド６１の下側に向けられている下周面から出射させるようになっている。
【００３０】
前記光反射ステップ６１ａは、前記上ライトロッド６１の延設方向に沿って微小ないし微細間隔に形成されている。あるいは、連続的に形成されてもよい。この光反射ステップ６１ａで反射されて出射される光は、上ライトロッド６１に沿って長さ方向に連続したライン状とされる。ここで、ライン状とは、光が長さ方向に連続していることはもとより、長さ方向において部分的に不連続な部位が存在しても大略的に見て連続に近い状態をも含んでいる。
【００３１】
前記レンズロッド６２は前記上ライトロッド６１の直下において、当該上ライトロッド６１に沿って延設されている。このレンズロッド６２は、上周面と下周面がそれぞれ所要の曲率半径の円弧面に形成されており、長さ方向に直交する断面形状が凸レンズを構成するように形成されている。前記上周面は前記上ライトロッド６１に向けられ、下面は前記スリット４２に向けられている。したがって、上ライトロッド６１から上周面に入射された光はレンズ作用によって集光されて下周面から下方に向けて出射される。
【００３２】
一方、図３〜図５に示したように、前記下ロッド室５１、すなわち前記下フリンジ部５の凹溝５１内には、第２光源部７の一部として、断面形状が横長楕円形をした透光ロッドからなる下ライトロッド７１が内装されている。この下ライトロッド７１は本発明の第２のライトロッドとして構成されており、前記導光体３の他縁面３４に対向された状態で配置されている。この下ライトロッド７１は前記上ライトロッド６１と同様に透明樹脂により形成されたものである。また、この下ライトロッド７１は、前記下フリンジ部５に沿って延設配置され、下フリンジ部５のほぼ全長にわたって配設されている。
【００３３】
前記下ライトロッド７１の車幅方向外側の端部に対向する位置に、前記第２光源部７の光源としての第２発光素子７０、ここでは第２ＬＥＤが配設されている。この第２ＬＥＤ７０についても詳細な図示は省略するが、回路基板等に搭載された状態で前記ランプボディ１１の一部に配設されており、発光されたときに出射される光が下ライトロッド７１の車幅方向外側の端面に投射され、当該下ライトロッド７１内に入射されるようになっている。この第２ＬＥＤ７０は前記一方の第１ＬＥＤ６０と一体化されたＬＥＤモジュールとして構成されてもよい。
【００３４】
前記ＨＬユニットＨＬ−ＵはＬＥＤを光源とするプロジェクタ型ランプユニットで構成されており、前記ランプハウジング１内のほぼ中央位置に配設されている。このプロジェクタ型ランプは既に知られている構成であるので、ここでは簡略して説明する。このＨＬユニットＨＬ−Ｕは、図３に一部の構成が図示されているように、光源としてのＬＥＤ８０と、リフレクタ８１と、投影レンズ８２と、ヒートシンク８３を備えており、これらはランプケーシング８内に一体的に組み付けられている。発光したＬＥＤ８０から出射された光はリフレクタ８１で反射されて光源像を結像し、この光源像が投影レンズ８２によりヘッドランプＨＬの前方領域に投影され、所要の配光パターンでの光照射が可能とされる。
【００３５】
前記ＨＬユニットＨＬ−Ｕは、図４に示すように光軸偏向装置８４に搭載されている。この光軸偏向装置８４はＨＬユニットＨＬ−Ｕの光出射光軸を上下方向、左右方向に調整するものである。この光軸偏向装置８４は、特許文献２に記載された照射方向変更機構を利用することができる。この特許文献２に記載の照射方向変更機構は、図示は省略するが、ベース部材に水平回動可能に載置された支持ベースと、この支持ベース上において前後方向に移動可能なスライダと、このスライダの前後移動によって前後方向に傾倒される回動ベースが支持されており、スライダをアクチュエータにより前後方向に移動させるようになっている。
【００３６】
前記ＨＬユニットＨＬ−Ｕはこの回動ベース上に搭載されており、アクチュエータ８５によりスライダを前後方向に移動させると、回動ベースは前後方向に傾動され、ＨＬユニットＨＬ−Ｕは光軸が上下に偏向される。また、支持ベースに螺合されているエイミングスクリュ（図示せず）を操作することにより、支持ベースと共にスライダおよび回動ベースは左右方向に回動され、ＨＬユニットＨＬ−Ｕは光軸が左右偏向される。
【００３７】
前記ＨＬユニットＨＬ−Ｕは前記ランプハウジング１の下面部１ｄの略中央に配置されている。前記ＣＬユニットＣＬ−Ｕのリフレクタ２および前記導光体３の下面部３ｄにそれぞれ所要寸法の開口３６，２３が設けられており、前記光軸偏向装置８４は、これらの開口３６，２３内に内装された状態で前記ランプボディ１１に支持されている。これにより、前記ＨＬユニットＨＬ−Ｕは前記導光体３の下面部３ｄよりも上方の位置に配設され、前記光軸偏向装置８４はその大部分が導光体３の下面部３ｄによって隠され、透光カバー１２を透して外部に露見されなくなる。
【００３８】
以上の構成のヘッドランプＣＨＬによれば、ＣＬユニットＣＬ−Ｕの点灯時には、対をなす第１ＬＥＤ６０がそれぞれ発光される。各第１ＬＥＤ６０から出射された光は上ライトロッド６１の各端面に入力され、それぞれ反対端に向けて上ライトロッド６１内を導光される。図６及び図７に示すように、導光された光は上周面の光反射ステップ６１ａにおいて反射され、上ライトロッド６１の下周面から下方に向けて出射される。光反射ステップ６１ａは微細ないし連続的に形成されているので、この出射される光は上ライトロッド６１の延設方向に沿って連続ないしほぼ連続したライン状となる。
【００３９】
上ライトロッド６１から出射された光はレンズロッド６２の上面に入力され、これを透過して下方に向けて出射される。このとき、出射された光はレンズロッド６２の上面と下面において屈折され、そのレンズ作用により集光される。この集光される光は上フリンジ部４のスリット４２を通り、導光体３の入射面３３の直近の上方位置に集光される。この集光された光もレンズロッド６２の延設方向に沿ったライン状となる。また、レンズロッド６２によって集光されることにより、レンズロッド６２と導光体３の光入射面３３との対峙寸法が長い場合でも、レンズロッド６２から出射される光の殆どが導光体３の光入射面３３に入射され、光の入射効率が高められる。
【００４０】
図７に示すように、光入射面３３に入射された光は導光体３の内部を主に下方に向けて導光される。このとき、一部の光は導光体３の内面３１や外面３２から漏光されるため、導光体３は僅かに発光した外観を呈することがある。特に、導光体３の内側面部３ｉ、後面部３ｒ、外側面部３ｏにおいてこのような外観を呈し易い。
【００４１】
導光体３に入射され、かつ導光体３の内部を導光された光は、導光体３の内面３１と外面３２に設けられている各線刻３５においてそれぞれ反対側の面に向けて反射される。内面３１の線刻３５で反射された光は、外面３２に向けて反射されて外面３２から後方に向けて出射される。この出射された光はリフレクタ２において前方に向けて反射される。この反射光は導光体３の外面３２から再度導光体３に入射され、導光体３の内面３１から前方に向けて出射される。一方、導光体３の外面３２の線刻３５で反射された光は、内面３１に向けて反射され、内面３１から前方に向けて反射される。
【００４２】
したがって、ヘッドランプＣＨＬを前方から観察したときには、導光体３の外面３２の線刻３５で反射された光、及び内面３１の線刻３５で反射され、かつリフレクタ２で反射された光によって明るく発光した状態の複数本の輝線が観察される。これにより、ランプハウジング１の内部は、ほぼ全面領域が導光体３によって低輝度で発光されるとともに、この領域内に導光体３の線刻３５による多数本の高輝度で発光された輝線が観察される外観を呈することになる。
【００４３】
さらに、図８に示すように、導光体３の内部を導光された光のうち、内面３１および外面３２において洩れ出さず、かつ線刻３５において反射されなかった光は、下面部３ｄにまで導光され、さらに他縁面３４から出射される。この出射された光は下ライトロッド７１の後側の周面に入射される。この入射された光は、下ライトロッド７１の内部を径方向に透過して前側の周面から出射される。このとき、光の一部は下ライトロッド７１の内部において長さ方向に導光されるため、出射される光は下ライトロッド７１の長さ方向に均一化される。
【００４４】
下ライトロッド７１から出射された光は下フリンジ部５の下ロッド室５１、すなわち凹溝５１の内面に入射され、下フリンジ部５を透過して前面５２から出射される。この前面５２はシボ加工により粗面、すなわち光拡散面として形成されているので、出射された光は拡散光とされる。これにより、下フリンジ部５は均一な明るさで発光される。
【００４５】
このように、ＣＬユニットＣＬ−Ｕが点灯したときには、透光カバー１２を透して観察されるランプハウジング１の内面、特に導光体３が配設されている内側面部１ｉ、後面部１ｒ、外側面部１ｏにおいて、線刻３５により複数ないし多数の横方向に延びる高輝度の輝線が観察される外観となる。これと同時にランプハウジング１の下縁ないし左右の側縁に沿った下フリンジ部５が曲線状に発光する外観となる。この曲線状の発光は下フリンジ部５の高さ寸法に相当する線幅であるので、線幅の太い線状に発光する外観となる。
【００４６】
特に、この点灯時には、導光体３の光入射面３３に入射される光は、上ライトロッド６１およびレンズロッド６２によって導光体３の後面部３ｒ、内側面部３ｉおよび外側面部３ｏの全領域にわたってライン状に連続した状態で入射される。すなわち、全領域にわたって均一に入射される。これにより、第１光源部６の光源が２つの第１ＬＥＤ６０で構成されており、それにもかかわらず導光体３の発光面積を大きく設計した場合でも、導光体３の全領域における均一な光量での発光が可能になる。
【００４７】
さらに、上ライトロッド６１およびレンズロッド６２から導光体３の光入射面３３に入射される光は、レンズロッド６２により光入射面３３の直近位置に集光されるので、光入射面３３における入射効率の高い光入射が実現でき、２つの第１ＬＥＤ６０のみでも、導光体３の広い領域を高い輝度で発光させることが可能になる。
【００４８】
なお、ヘッドランプＣＨＬを観察する際の視線を車幅方向外側ないし斜め側方に移動すると、ランプハウジング１の外側面部１ｏ、すなわちランプボディ１１が存在せず透光カバー１２のみが存在する面部では、導光体３の外側面部３ｏの外面３２が直接的に観察される。この外側面部３ｏでは、内面３１と外面３２の各線刻３５で発光された輝線が観察される。また、導光体３は透光性であるので、この輝線は後面部３ｒで発光された輝線と重なった状態で観察されることになり、これら輝線の重畳によって意匠的効果が高められる。
【００４９】
このとき、ＨＬユニットＨＬ−Ｕは非点灯であるが、ＨＬユニットＨＬ−Ｕは導光体３において発光された輝線の前方位置に重なった状態に観察されるので、へッドランプＣＨＬの外観に奥行き感が得られ、意匠的効果が高められる。また、導光体３の下面部３ｄには線刻が設けられていないので、この下面部３ｄから洩れ出る光の光量は少なく、他の領域に比較して暗く観察される。これにより、ＨＬユニットＨＬ−Ｕがランプハウジング１内において浮かび上がっているように観察され、この面からも意匠的効果が高められる。
【００５０】
ＣＬユニットＣＬ−Ｕを点灯したときには、これと合せて第２ＬＥＤ７０を発光させてもよい。発光された第２ＬＥＤ７０から出射された光は、下ライトロッド７１の一方の端面から下ライトロッド７１内に入射されて長さ方向に導光される。この導光される光は下ライトロッド７１の前面側の周面から洩れ出し下フリンジ部５に入射される。これにより、下フリンジ部５の前面５２から拡散光が出射されることになり、下フリンジ部５はより明るく発光した状態となる。これにより、ヘッドランプＣＨＬの下側の縁部の輪郭をより明確なものとし、意匠的効果が高められる。なお、図示は省略するが、下ライトロッド７１の後面側の周面に光反射ステップを設けてもよく、当該後側の周面で反射されて前面側の周面から出射される光の光度を高めるようにしてもよい。
【００５１】
上ライトロッド６１とレンズロッド６２は上フリンジ部４によって隠蔽されるので、これらが露見されることによる外観上の見栄えが低下されることはない。下ライトロッド７１は下フリンジ部５により覆われており、下フリンジ部５は光拡散処理されているので下ライトロッド７１が直接露見されることなく隠蔽されることになり、この面からも外観上の見栄えが低下されることはない。
【００５２】
ＣＬユニットＣＬ−Ｕの点灯に合せてＨＬユニットＨＬ−Ｕを点灯すると、ＨＬユニットＨＬ−Ｕから照明光が出射される。この場合にはＨＬユニットＨＬ−Ｕの投影レンズ８２が極めて明るく発光する外観となるが、この場合には、投影レンズ８２による高輝度の発光面を囲むようにしてＣＬユニットＣＬ−Ｕの導光体３の線刻３５による輝線の発光と下フリンジ部５による線状の発光が観察される。したがって、ＨＬユニットの点灯時においてもＣＬユニットＣＬ−Ｕによるヘッドランプの意匠的効果が得られる。
【００５３】
以上説明した実施形態では、上ライトロッド６１と導光体３の光入射面３３との間にレンズロッド６２を配設していたが、上ライトロッド６１と光入射面３３との距離が短く設計できる場合には、レンズロッド６２を省略しても、上ライトロッド６１から出射した光を導光体に入射させる際の入射効率を高めることができ、導光体３での発光、特に線刻の発光の輝度の均一化を図ることができる。
【００５４】
導光体３での発光は、導光体３の内面３１や外面３２に設けた凹溝等の光反射素子によるものであればよいので、この光反射素子としては、実施形態のような線刻に限られるものではなく、点状に凹部を設けた点刻であってもよく、あるいは任意のパターン形状をした光反射素子として形成してもよい。
【００５５】
本発明は照明灯ユニットとしてＨＬユニットを備え、標識灯ユニットとしてＣＬユニットを備えるヘッドランプの例を示したが、照明灯ユニットと標識灯ユニットはこれら実施形態のユニットに限定されるものではない。標識灯ユニットを導光体で構成するヘッドランプであれば本発明を適用することは可能である。また、照明灯ユニットと標識灯ユニットの複合に限られるものではなく、少なくとも１つのユニットを導光体で構成するランプであれば本発明を適用することができる。
【符号の説明】
【００５６】
ＣＨＬ  複合型ヘッドランプ
ＣＬ−Ｕ  ＣＬ（クリアランスランプ）ユニット
ＨＬ−Ｕ  ＨＬ（ヘッドランプ）ユニット
１  ランプハウジング
２  リフレクタ
３  導光体
４  上フリンジ部（第１フリンジ部）
５  下フリンジ部（第２フリンジ部）
６  第１光源部
７  第２光源部
３３  光入射面
３４  他縁面
３５  線刻（光反射素子）
４１  上ロッド室
４２  スリット
５１  下ロッド室（凹溝）
５２  前面（拡散面）
６０  第１発光素子（第１ＬＥＤ）
６１  上ライトロッド（第１ライトロッド）
６２  レンズロッド
７０  第２発光素子（第２ＬＥＤ）
７１  下ライトロッド（第２ライトロッド）
【図１】
2018006225.tif 000003
【図２】
2018006225.tif 000004
【図３】
2018006225.tif 000005
【図４】
2018006225.tif 000006
【図５】
2018006225.tif 000007
【図６】
2018006225.tif 000008
【図７】
2018006225.tif 000009
【図８】
2018006225.tif 000010